(57)【要約】      （修正有）【課題】スメルハラスメント（悪臭暴力）を防止し、若年性認知症を予防する、軽くて携帯便利な、芳香剤含有シリカゲルシートを提供する。【解決手段】ハッカ油１１などの天然に産出する安全な芳香剤をシリカゲルシート９に対して０．０１〜１０重量％を含有させた芳香剤含有シリカゲルシートであって、シリカゲルシートは複合紙の表裏両面にフィルムを一体化した。複合紙を、乾燥重量で１０〜７０重量％のシリカゲル粒子と、残部の紙繊維とからなるように抄紙技術により形成して、厚さが０．３〜４．０ｍｍのシート状にし、この複合紙の表裏両面にフィルムを一体化することにより、少なくとも端面にて外気に触れるようにした。【選択図】図４
0003225569.tif 000002
【実用新案登録請求の範囲】
【請求項１】
天然に産出する安全な芳香剤を０．０１〜１０重量パーセントシリカゲルシートに含有させた芳香剤含有シリカゲルシート。
【請求項２】
前記芳香剤としては天然に産出する国産の安全なハッカ、レモン、オレンジを使用する。
【請求項３】
前記シリカゲルシートは紙にシリカゲルを包含させたもので、ドライヤーンシートＳを使用する。
【請求項４】
前記各種芳香剤をシリカゲルシートに吸着、含有させる方法としては、浸漬法、スプレー法、蒸発気相吸着法、パルプ（紙）塗布法などを用いる。
【考案の詳細な説明】
【技術分野】
【０００１】  本発明の芳香剤含有シリカゲルシートは、薄い板状に加工したシリカゲルシート（ドライヤーンシートＳ）に、芳香剤として、ハッカ、レモン、オレンジを含有させたものである。従来の芳香剤は液体あるいはゾル状にしてガラス容器に入っている商品が多い。これらは持ち運びが不便である。そこで、発明者は、身体につけて持ち運びが簡単な物質を考案した。
【背景技術】
【０００２】  芳香剤としては非常に多種類のものが存在する。われわれが通勤時、満員電車に乗車するが、車内には人間の汗の臭い、老人臭、加齢臭、アンモニアの臭いなどが充満している。これらの不快な臭いを軽減するために、ハッカを含有させたドライヤーンシートＳを名刺大にカットして、胸ポケット、背広の内ポケットに入れるようにした。このようにすることにより、満員電車の悪臭を軽減することができ、またシリカゲル本来の乾燥、脱臭効果と相まって快適に通勤できる。【０００３】  次に近年、若年性認知症が増加している。その原因は種々あり、完全な治療法が無いのが現状である。認知症を予防、防止する一つの優れた方法として、人間の嗅神経を刺激することが良いと学術発表もされている。それも、一種の芳香剤を臭うのではなく、時間をあけて少なくとも二種類以上の芳香剤を臭うのが良いとされている。考案者はこれに着目して、ドライヤーンシートＳに１００％天然国産のハッカ、レモン、オレンジ等柑橘系揮発物質をそれぞれ含浸したものを考案した。これらを常時携帯していて、時々芳香剤をかぐだけで嗅神経が刺激され、認知症が予防できる効果もある。
【先行技術文献】
【特許文献】
【０００４】
【特許文献１】特許登録番号４０１９１４２
【特許文献２】特許登録番号６４７４２１２
【考案の概要】
【考案が解決しようとする課題】
【０００５】  人間は臭いに敏感である。スメルハラスメント（スメハラ）という言葉もあるように、人間は悪臭にはたえられない。特に通勤電車内は満員のケースが多く、汗の臭い、加齢臭、老人臭、ワキガの臭い、アンモニア臭、化粧品の臭い、香水の臭が溢れている。通常これらの悪臭は活性炭、アルミナゲル、シリカゲル、ゼオライトにより吸着され脱臭されることが知らされている。この不快な臭いを除去するという課題の具体的な商品として解決した。【０００６】  最近、若年性認知症が増加している。認知症の原因はまだ明らかではない。しかし、各種の予防法が試みられている。これらの中で、特に人間の臭覚を刺戟することによってある程度、認知症を予防することが学会で発表されている。そのため、本商品には認知症を予防するという課題に対する効果も期待できる。
【課題を解決するための手段】
【０００７】  以上のことから、各種芳香剤を特殊加工したシリカゲルシートに吸着、含有させ、手軽に持ち運びでき、軽くて、安全な、新しい物質の製造方法を考案した。
１．芳香剤としては、日本国産の天然のハッカ、レモン、オレンジを使用する。これらの果実類は安心、安全であり、純度もしぼりたてのものを使用するので、１００％ピュアである。
２．芳香剤を吸着、含有させるためのシリカゲルシートとしてはドライヤーンシートＳを用いる。パルプ（セルロース）にシリカゲルを分散吸着させたもので、厚さ０．１〜３ｍｍの板状のものであり、いかなる形状にも切断できる。
３．芳香剤をドライヤーンシートＳに含有させる方法としては、芳香剤溶液中に直接シートを浸漬して含有させる方法（図１）、シートに芳香剤溶液を噴霧して含有させる方法（図２）、パルプ（紙）に芳香剤を塗布しておく方法（図３）、ハッカ油の蒸発気相吸着方法（図４）がある。
これらの方法を適宜、選択して製造する。
４．芳香剤を含有させたシリカゲルシートを名刺大の大きさにカットすると、背広の胸ポケット、内ポケット外ポケット等に容易に入れることができる。そのため、朝の出勤時に満員電車の中で効果を発揮する。シリカゲル自体は吸湿、脱臭効果があるが、その上にほのかなハッカ臭、レモン臭等を出すことができスメルハラスメント（悪臭暴力）から逃れることができる。また、周辺の人に対しても良い環境を与える。
５．若年性認知症の予防にも効果が期待されている。人間の臭覚を一日数回、芳香剤で刺戟することによって、臭神経を刺戟し、脳を活性化する。シリカゲルシートをとりかえて使用し、また、自分自身シートを積極的に嗅ぐことが重要である。
【考案の効果】
【０００８】  芳香剤含有シリカゲルシートはスメルハラスメント（悪臭暴力）の防止に有効である。現代の世の中においては、満員電車、劇場、コンサート会場、公共施設、デパートと人の集まる場所で悪臭が溢れている。これらのスメルハラスメントから身を守らねばならない。本考案はシリカゲルシートに各種芳香剤を吸着、含有させた全く新規の物質である。名刺型のものを数枚背広の上下のポケットに入れておくとシリカゲル自体が吸着、脱臭するとともに、ほのかな芳香物質（ハッカの香り）が拡散され、スメルハラスメントを防止できる。スメルプロテクトシート（ＳＰＳ、悪臭防止シート）といえる。これは現代人必携の商品である。【０００９】  芳香剤としてハッカ、レモン、オレンジを用いる。
これらの芳香剤シートを身に着け、毎回、数回、息を吸い込んでかぐことにより、嗅神経が刺戟され脳が活性化し、若年性認知症の予防になることが学会で報告されており、期待される。
【本考案を実施するための形態】
【００１０】  天然、国産、１００％安全な果実液を使用する。
１．ハッカは主成分がＬ−メントール、ハッカの葉を収集して、水蒸気蒸留して次に冷却、ろ過して製造する。北海道滝上町でニホンハッカの９５％を生産している。この１００％原液を使用する。
２．レモンは広島県で年６３５０トン（全国１位）愛媛県で年２０００トン（全国２位）生産されている。これらをしぼって原液を使用する。すべて無農薬である。
３．オレンジはネーブルオレンジとして広島県で年２２００トン（全国１位）静岡県で年２０００トン（全国２位）生産されている。これらをしぼって原液を使用する。すべて無農薬である。
４．シリカゲルシートはドライヤーンシートＳを使用する。
５．シリカゲルシートに芳香剤を吸着、含有させる方法としては浸漬法、スプレー法、パルプ紙塗布法、ハッカ油蒸発気相吸着法などを用いる。
【実施例】
【００１１】  芳香剤含有シリカゲルシートはドライヤーンシートＳを用いる。組成・成分を表１に示す。【００１２】
【表１】
0003225569.tif 000003
【００１３】  ハッカ油は１ｍｌ中に１ｍｌのハッカ油を含む。主成分はメントール（Ｃ１０Ｈ２０Ｏ）でこのものを３０％以上含んでいる。分子量１５６無色の液体で、そう快な芳香臭あり。製造方法は、このハッカ油中にドライヤーンシートＳに蒸気吸着した。【００１４】  このドライヤーンシートＳをサイズ５．５ｃｍ×９ｃｍにカットしたものをデシーケーターに保存する。デシケーターの下部にハッカ油の入ったシャーレを設置し密閉条件でハッカ油蒸気の吸着試験を行った。【００１５】  以上の結果を図５に示す。経過日数８日間で３．１７％であった。【００１６】  この８日後の吸着シートの嗅覚による感応試験の結果を表２に示す。評価はよく臭う◎、臭う○、わずかに臭う△、臭わない×である。すべての被験者において良好な結果を示した。【００１７】
【表２】
0003225569.tif 000004
【図面の簡単な説明】
【図１】図１は、芳香剤溶液中に直接シートを浸漬して含有させる方法を説明する図である。
【図２】図２は、シートに芳香剤溶液を噴霧して含有させる方法を説明する図である。
【図３】図３は、パルプ（紙）に芳香剤を塗布しておく方法を説明する図である。
【図４】図４は、ハッカ油の蒸発気相吸着方法を説明する図である。
【図５】図５は、ハッカ油蒸気の吸着試験の結果を示すグラフである。
【符号の説明】
【００１８】  １‥空間  、２‥ハッカ油  ，３‥シリカゲルシート、４‥スプレー、５‥ハッカ油、６‥シリカゲルシート、７‥ハッカ油の塗布、８‥シリカゲルシート、９‥シリカゲルシート、１０‥ハッカ油の蒸気、１１‥ハッカ油
【図１】
0003225569.tif 000005
【図２】
0003225569.tif 000006
【図３】
0003225569.tif 000007
【図４】
0003225569.tif 000008
【図５】
0003225569.tif 000009
【手続補正書】
【提出日】令和1年12月16日(2019.12.16)
【手続補正１】
【補正対象書類名】実用新案登録請求の範囲
【補正対象項目名】全文
【補正方法】変更
【補正の内容】
【実用新案登録請求の範囲】
【請求項１】
天然に産出する安全な芳香剤をシリカゲルシートに対して０．０１〜１０重量％を含有させた芳香剤含有シリカゲルシート。
【請求項２】
前記芳香剤は天然に産出する国産の安全なハッカ、レモン、オレンジの群から選択した抽出されるものの液あるいは絞り出した液であることを特徴とする請求項１に記載の芳香剤含有シリカゲルシート。
【請求項３】
前記シリカゲルシートは複合紙の表裏両面にフィルムを一体化した乾燥用シートであって、前記複合紙を、乾燥重量で１０〜７０重量％のシリカゲル粒子と、残部の紙繊維とからなるように抄紙技術により形成して、厚さが０．３〜４．０ｍｍのシート状にし、この複合紙の表裏両面にフィルムを一体化することにより、少なくとも端面にて外気に触れるようにしたことを特徴とする請求項１または請求項２に記載の芳香剤含有シリカゲルシート。
【請求項４】
前記各種芳香剤をシリカゲルシートに吸着、含有させる方法としては、浸漬法、スプレー法、蒸発気相吸着法、パルプ（紙）塗布法などを用いることを特徴とする請求項１または請求項２または請求項３に記載の芳香剤含有シリカゲルシート。
【手続補正２】
【補正対象書類名】明細書
【補正対象項目名】全文
【補正方法】変更
【補正の内容】
【考案の詳細な説明】
【技術分野】
【０００１】  本発明の芳香剤含有シリカゲルシートは、薄い板状に加工したシリカゲルシ―ト（ドライヤーンシートＳ：山仁薬品株式会社製、特開２０１２−１６７３９６）に、芳香剤として、ハッカ、レモン、オレンジを含有させたものである。従来の芳香剤は液体あるいはゾル状にしてガラス容器に入っている商品が多い。これらは持ち運びが不便である。そこで、発明者は、身体につけて持ち運びが簡単な物質を考案した。
【背景技術】
【０００２】  芳香剤としては非常に多種類のものが存在する。われわれが通勤時、満員電車に乗車するが、車内には人間の汗の臭い、老人臭、加齢臭、アンモニアの臭いなどが充満している。これらの不快な臭いを軽減するために、ハッカを含有させたドライヤーンシートＳを名刺大にカットして、胸ポケット、背広の内ポケットに入れるようにした。このようにすることにより、満員電車の悪臭を軽減することができ、またシリカゲル本来の乾燥、脱臭効果と相まって快適に通勤できる。【０００３】  次に近年、若年性認知症が増加している。その原因は種々あり、完全な治療法が無いのが現状である。認知症を予防、防止する一つの優れた方法として、人間の嗅神経を刺激することが良いと学術発表もされている。それも、一種の芳香剤を臭うのではなく、時間をあけて少なくとも二種類以上の芳香剤を臭うのが良いとされている。考案者はこれに着目して、ドライヤーンシートＳに１００％天然国産のハッカ、レモン、オレンジ等柑橘系揮発物質をそれぞれ含浸したものを考案した。これらを常時携帯していて、時々芳香剤をかぐだけで嗅神経が刺激され、認知症が予防できる効果もある。
【先行技術文献】
【特許文献】
【０００４】
【特許文献１】特許登録番号４０１９１４２
【特許文献２】特許登録番号６４７４２１２
【考案の概要】
【考案が解決しようとする課題】
【０００５】  人間は臭いに敏感である。スメルハラスメント（スメハラ）という言葉もあるように、人間は悪臭にはたえられない。特に通勤電車内は満員のケースが多く、汗の臭い、加齢臭、老人臭、ワキガの臭い、アンモニア臭、化粧品の臭い、香水の臭が溢れている。通常これらの悪臭は活性炭、アルミナゲル、シリカゲル、ゼオライトにより吸着され脱臭されることが知らされている。この不快な臭いを除去するという課題の具体的な商品として解決した。【０００６】  最近、若年性認知症が増加している。認知症の原因はまだ明らかではない。しかし、各種の予防法が試みられている。これらの中で、特に人間の臭覚を刺戟することによってある程度、認知症を予防することが学会で発表されている。そのため、本商品には認知症を予防するという課題に対する効果も期待できる。
【課題を解決するための手段】
【０００７】  以上のことから、各種芳香剤を特殊加工したシリカゲルシートに吸着、含有させ、手軽に持ち運びでき、軽くて、安全な、新しい物質の製造方法を考案した。
１．芳香剤としては、日本国産の天然のハッカ、レモン、オレンジを使用する。これらの果実類は安心、安全であり、純度もしぼりたてのものを使用するので、１００％ピュアである。
２．芳香剤を吸着、含有させるためのシリカゲルシートとしてはドライヤーンシートＳを用いる。パルプ（セルロース）にシリカゲルを分散吸着させたもので、厚さ０．３〜４ｍｍの板状のものであり、いかなる形状にも切断できる。
３．芳香剤をドライヤーンシートＳに含有させる方法としては、芳香剤溶液中に直接シートを浸漬して含有させる方法（図１）、シートに芳香剤溶液を噴霧して含有させる方法（図２）、パルプ（紙）に芳香剤を塗布しておく方法（図３）、ハッカ油の蒸発気相吸着方法（図４）がある。
これらの方法を適宜、選択して製造する。
４．芳香剤を含有させたシリカゲルシートを名刺大の大きさにカットすると、背広の胸ポケット、内ポケット外ポケット等に容易に入れることができる。そのため、朝の出勤時に満員電車の中で効果を発揮する。シリカゲル自体は吸湿、脱臭効果があるが、その上にほのかなハッカ臭、レモン臭等を出すことができスメルハラスメント（悪臭暴力）から逃れることができる。また、周辺の人に対しても良い環境を与える。
５．若年性認知症の予防にも効果が期待されている。人間の臭覚を一日数回、芳香剤で刺戟することによって、臭神経を刺戟し、脳を活性化する。シリカゲルシートをとりかえて使用し、また、自分自身シートを積極的に嗅ぐことが重要である。
【考案の効果】
【０００８】  芳香剤含有シリカゲルシートはスメルハラスメント（悪臭暴力）の防止に有効である。現代の世の中においては、満員電車、劇場、コンサート会場、公共施設、デパートと人の集まる場所で悪臭が溢れている。これらのスメルハラスメントから身を守らねばならない。本考案はシリカゲルシートに各種芳香剤を吸着、含有させた全く新規の物質である。名刺型のものを数枚背広の上下のポケットに入れておくとシリカゲル自体が吸着、脱臭するとともに、ほのかな芳香物質（ハッカの香り）が拡散され、スメルハラスメントを防止できる。スメルプロテクトシート（ＳＰＳ、悪臭防止シート）といえる。これは現代人必携の商品である。【０００９】  芳香剤としてハッカ、レモン、オレンジを用いる。
これらの芳香剤シートを身に着け、毎回、数回、息を吸い込んでかぐことにより、嗅神経が刺戟され脳が活性化し、若年性認知症の予防になることが学会で報告されており、期待される。
【本考案を実施するための形態】
【００１０】  天然、国産、１００％安全な果実液を使用する。
１．ハッカは主成分がＬ−メントール、ハッカの葉を収集して、水蒸気蒸留して次に冷却、ろ過して製造する。北海道滝上町でニホンハッカの９５％を生産している。この１００％原液を使用する。
２．レモンは広島県で年６３５０トン（全国１位）愛媛県で年２０００トン（全国２位）生産されている。これらをしぼって原液を使用する。すべて無農薬である。
３．オレンジはネーブルオレンジとして広島県で年２２００トン（全国１位）静岡県で年２０００トン（全国２位）生産されている。これらをしぼって原液を使用する。すべて無農薬である。
４．シリカゲルシートはドライヤーンシートＳを使用する。
５．シリカゲルシートに芳香剤を吸着、含有させる方法としては浸漬法、スプレー法、パルプ紙塗布法、ハッカ油蒸発気相吸着法などを用いる。
【実施例】
【００１１】  芳香剤含有シリカゲルシートはドライヤーンシートＳを用いる。組成・成分を表１に示す。【００１２】
【表１】
0003225569.tif 000010
【００１３】  ハッカ油は１ｍｌ中に１ｍｌのハッカ油を含む。主成分はメントール（Ｃ１０Ｈ２０Ｏ）でこのものを３０％以上含んでいる。分子量１５６無色の液体で、そう快な芳香臭ある。製造方法は、このハッカ油中にドライヤーンシートＳに蒸気吸着した。【００１４】  このドライヤーンシートＳをサイズ５．５ｃｍ×９ｃｍにカットしたものをデシーケーターに保存する。  デシケーターの下部にハッカ油の入ったシャーレを設置し密閉条件でハッカ油蒸気の吸着試験を行った。【００１５】  以上の結果を図５に示す。経過日数８日間で３．１７％であった。【００１６】  この８日後の吸着シートの嗅覚による感応試験の結果を表２に示す。評価はよく臭う◎、臭う○、わずかに臭う△、臭わない×である。すべての被験者において良好な結果を示した。【００１７】
【表２】
0003225569.tif 000011
【図面の簡単な説明】
【図１】図１は、芳香剤溶液中に直接シートを浸漬して含有させる方法を説明する図である。
【図２】図２は、シートに芳香剤溶液を噴霧して含有させる方法を説明する図である。
【図３】図３は、パルプ（紙）に芳香剤を塗布しておく方法を説明する図である。
【図４】図４は、ハッカ油の蒸発気相吸着方法を説明する図である。
【図５】図５は、ハッカ油蒸気の吸着試験の結果を示すグラフである。
【符号の説明】
【００１８】  １‥空間  、２‥ハッカ油  ，３‥シリカゲルシート、４‥スプレー、５‥ハッカ油、６‥シリカゲルシート、７‥ハッカ油の塗布、８‥シリカゲルシート、９‥シリカゲルシート、１０‥ハッカ油の蒸気、１１‥ハッカ油